(57)【要約】【課題】  色彩の富んだパターンの変化を増加する万華鏡及びその色彩ケースを提供する。【解決手段】円筒体と、回転チューブと、色彩ケースとを有し、その内、該円筒体は、一端に覗き孔が形成され、他端の端面中央が透光性を備え、内部に反射鏡部材、発光ユニット、電源ユニットが設置され、該回転チューブは、回転可能に該円筒体の他端に装着され、該色彩ケースは、該回転チューブの内部に設置され、透光性を備えると共に、内部に複数の色彩片、複数の色彩玉、リブユニットを収納するパターンケースと、内部にバックシートが配置されるバックケースとを備えることから、回転チューブが色彩ケースを連動して回転することにより、パターンケースのパターンを変化すると共に、バックケースが豊富な色彩模様を表現することができる。【選択図】  図１
0003176430.tif 000002
【実用新案登録請求の範囲】
【請求項１】
一端に覗き端が設けられ、他端に結合端が設けられて端面中央が透光性を備え、該覗き端に覗き孔が形成される本体と、該本体に環装される管状カバーと、該本体の内部に長手方向に沿って設置される反射鏡部材と、該本体に設置される発光ユニットと、該発光ユニットと電気接続されると共に、該本体の内部に配置される電源ユニットとを備える円筒体と、
回転可能に前記円筒体の結合端に装着され、該結合端と反対する側に透光開口が形成され、内部に収容空間が形成される回転チューブと、
前記回転チューブの収容空間に設置され、透光性を備えると共に、前記結合端と接触するように設置されるパターンケースと、該結合端と反対する側に、該パターンケースと接触するように設置されるバックケースと、移動自在に該パターンケースの内部に収容される複数の色彩片、複数の色彩玉、リブユニットと、該バックケースの内部に配置されるバックシートとを備える色彩ケースと、を有することを特徴とする万華鏡。
【請求項２】
前記リブユニットは、少なくとも１つの湾曲状の移動リブを有することを特徴とする請求項１に記載の万華鏡。
【請求項３】
前記パターンケースの一側に底面が設けられ、
前記リブユニットは、複数の固定リブを有し、該固定リブがパターンケースの底面内側に設けられることを特徴とする請求項２に記載の万華鏡。
【請求項４】
前記パターンケースの内部に透光性を備える割れシートが取り付けられ、該割れシートを介してパターンケースの内部空間を第一層及び第二層に区画され、該第一層及び第二層にそれぞれ複数の色彩片、複数の色彩玉、リブユニットを有することを特徴とする請求項１乃至３の何れか１項に記載の万華鏡。
【請求項５】
前記バックケースの内部に、透光性を備えるプレートが配置され、該プレートを介してバックケースの収納空間を第一隙間及び第二隙間に区画され、該第一隙間及び第二隙間にそれぞれ、複数の色彩シートが収納されることを特徴とする請求項４に記載の万華鏡。
【請求項６】
前記バックケースの内部に、透光性を備える割れシートが取り付けられ、該割れシートを介してバックケースの収納空間を第一層及び第二層に区画され、該第一層及び第二層にそれぞれ透光性を備えるプレートが配置され、該各プレートの両側にそれぞれ複数の色彩シートを有することを特徴とする請求項４に記載の万華鏡。
【請求項７】
前記パターンケースとバックケースは、分離可能に組み合わせるものであり、
前記回転チューブの透光開口側にライトカバーが取り付けられ、該ライトカバーに電源ユニットが取り付けられ、該ライトカバーの内側面に該電源ユニットと電気接続する発光ダイオードが取り付けられることを特徴とする請求項１乃至３の何れか１項に記載の万華鏡。
【請求項８】
透光性を備えるパターンケースと、
該パターンケースと接触するように設置されるバックケースと、
移動自在に該パターンケースの内部に収容される複数の色彩片と、
移動自在に該パターンケースの内部に収容される複数の色彩玉と、
移動自在に該パターンケースの内部に収容されるリブユニットと、
該バックケースの内部に配置されるバックシートとを有することを特徴とする万華鏡の色彩ケース。
【請求項９】
前記リブユニットは、少なくとも１つの湾曲状の移動リブを有することを特徴とする請求項８に記載の万華鏡の色彩ケース。
【請求項１０】
前記パターンケースの内部に透光性を備える割れシートが取り付けられ、該割れシートを介してパターンケースの内部空間を第一層及び第二層に区画され、該第一層及び第二層にそれぞれ複数の色彩片、複数の色彩玉、リブユニットを有することを特徴とする請求項９に記載の万華鏡の色彩ケース。
【考案の詳細な説明】
【技術分野】
【０００１】
本考案は、色彩の富んだパターンの変化を増加する万華鏡及びその色彩ケースに関するものである。
【背景技術】
【０００２】
従来の万華鏡は、円筒体の内部に内側に向けて三角形鏡が設けられ、一端に透光性を備える色彩ケースが回転可能に取り付けられ、他端に覗き孔が形成され、使用者が覗き孔から内部の三角形鏡を見て、色彩ケースの模様を映して綺麗な色彩模様を見える。
【０００３】
また、従来の万華鏡を使用する時、色彩ケースを回動する時、内部の色彩片または微細の飾り物により、光を三角形鏡から反映すると、色彩模様を変化して様々なパターンを見えて楽しむことを得る。
【考案の概要】
【考案が解決しようとする課題】
【０００４】
しかしながら、従来の万華鏡において、色彩ケースを回動する時、単に色彩片の動きによって、色彩模様の変化を起し、また、色彩ケースの背景素材は、特にデザインしなく、或いはシンプルな色彩で構成されるので、色彩模様及びパターンの変化が乏しく、立体感が不足で豊富なパターンを表すことができなく、商品があまり売れないので、改良する必要がある。
【課題を解決するための手段】
【０００５】
本考案に係る万華鏡は、一端に覗き端が設けられ、他端に結合端が設けられて端面中央が透光性を備え、該覗き端に覗き孔が形成される本体と、該本体に環装される管状カバーと、該本体の内部に長手方向に沿って設置される反射鏡部材と、該本体に設置される発光ユニットと、該発光ユニットと電気接続されると共に、該本体の内部に配置される電源ユニットとを備える円筒体と、
回転可能に前記円筒体の結合端に装着され、該結合端と反対する側に透光開口が形成され、内部に収容空間が形成される回転チューブと、
前記回転チューブの収容空間に設置され、透光性を備えると共に、前記結合端と接触するように設置されるパターンケースと、該結合端と反対する側に、該パターンケースと接触するように設置されるバックケースと、移動自在に該パターンケースの内部に収容される複数の色彩片、複数の色彩玉、リブユニットと、該バックケースの内部に配置されるバックシートとを備える色彩ケースとを有するものである。
【０００６】
前記リブユニットは、少なくとも１つの湾曲状の移動リブを有することが好ましい。
【０００７】
前記パターンケースの一側に底面が設けられ、
前記リブユニットは、複数の固定リブを有し、該固定リブがパターンケースの底面内側に設けられてもよい。
【０００８】
前記パターンケースの内部に透光性を備える割れシートが取り付けられ、該割れシートを介してパターンケースの内部空間を第一層及び第二層に区画され、該第一層及び第二層にそれぞれ複数の色彩片、複数の色彩玉、リブユニットを有することが好ましい。
【０００９】
前記バックケースの内部に、透光性を備えるプレートが配置され、該プレートを介してバックケースの収納空間を第一隙間及び第二隙間に区画され、該第一隙間及び第二隙間にそれぞれ、複数の色彩シートが収納されてもよい。
【００１０】
前記バックケースの内部に、透光性を備える割れシートが取り付けられ、該割れシートを介してバックケースの収納空間を第一層及び第二層に区画され、該第一層及び第二層にそれぞれ透光性を備えるプレートが配置され、該各プレートの両側にそれぞれ複数の色彩シートを有することが好ましい。
【００１１】
前記パターンケースとバックケースは、分離可能に組み合わせるものであり、
前記回転チューブの透光開口側にライトカバーが取り付けられ、該ライトカバーに電源ユニットが取り付けられ、該ライトカバーの内側面に該電源ユニットと電気接続する発光ダイオードが取り付けられることが好ましい。
【００１２】
本考案に係る万華鏡の色彩ケースは、透光性を備えるパターンケースと、
該パターンケースと接触するように設置されるバックケースと、
移動自在に該パターンケースの内部に収容される複数の色彩片と、
移動自在に該パターンケースの内部に収容される複数の色彩玉と、
移動自在に該パターンケースの内部に収容されるリブユニットと、
該バックケースの内部に配置されるバックシートとを有する。
【考案の効果】
【００１３】
本考案に係る万華鏡は、色彩ケースを備えるので、以下の効果を有する。
パターンの多様化：使用者が回転チューブを回してパターンケースを回動させると、内部の色彩片や、移動リブ、色彩玉などを自由に移動することによって、様々なパターンを配列して豊かな変化を有する。
バック色彩の多様化：使用者が回転チューブを回してバックケースを回動させると、内部に複数の色彩シートを自由に移動したり、回転したりし、バックの変化を有すると共に、色彩シートが様々な形状や、色彩、パターン、透明状、半透明状、グラデーション、立体感のある模様、多色付きの模様を備えることから、幻想的な色彩模様を有する。
立体感の表現：パターンケース及びバックケースはそれぞれ単層または二層の設計を有するので、パターン及びバックを重ねて立体感を構成し、豊富な色彩模様を表現する。
交換可能のケース：パターンケース及びバックケースが分離可能に組み合わせることから、使用者の好みによって、様々なパターンケース又はバックケースを自由に変更することができ、趣味性を増えて楽しさも上向させる。
綺麗な照明効果：発光ダイオードからの側方向又は軸方向の光により、色彩片や、色彩玉などの飾り物を反射鏡部材に反映すると、眩しくて綺麗な発光効果がある。また、本考案に係る万華鏡は、使用者の好みによって、発光ダイオードの光の強さを自由に調整することができるので、光の変化を有し、さらに、スタンドライトとしてもよく、懐中電灯としてもよく、実用性を高める。
【図面の簡単な説明】
【００１４】
【図１】本考案に係る万華鏡における第一実施例の斜視図である。
【図２】本考案に係る万華鏡における第一実施例の部分分解斜視図である。
【図３】本考案に係る万華鏡における第一実施例の色彩ケースの断面図である。
【図４】本考案に係る万華鏡における第一実施例の色彩ケースの端面図である。
【図５】本考案に係る万華鏡における第一実施例の移動リブを動いた状態を示す端面図である。
【図６】本考案に係る万華鏡における第二実施例の色彩ケースの断面図である。
【図７】本考案に係る万華鏡における第三実施例の色彩ケースの断面図である。
【図８】本考案に係る万華鏡における第四実施例のライトカバーの斜視図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１及び図２に示すように、本考案に係る万華鏡は、円筒体１０と、回転チューブ２０と、色彩ケース３０と、ライトカバー４０とを有する。
【００１７】
前記円筒体１０は、一端に覗き端１１１が設けられ、他端に結合端１１２が設けられて端面中央が透光性を備え、該覗き端１１１に覗き孔１１３が形成される略円柱状の本体１１と、該本体１１に環装される管状カバー１２と、該本体１１の内部に長手方向に沿って設置される反射鏡部材１３と、該結合端１１２近傍に３つの発光ダイオード１４１が取り付けられると共に、該本体１１の内部に設置される発光ユニット１４と、該発光ユニット１４と電気接続されると共に、該本体１１の内部に配置される電源ユニット１５とを有する。その電源ユニット１５は、前記本体１１の内部における反射鏡部材１３の両側にそれぞれ、バッテリ１５１が設置され、該バッテリ１５１が他の箇所に設置されても構わず、本考案におけるバッテリ１５１の設置位置が制限されていない。
【００１８】
図１及び図２に示すように、前記回転チューブ２０は、回転可能に円筒体１０の結合端１１２に装着され、該結合端１１２と反対する側に透光開口２１１が形成され、内部に収容空間２１が形成され、内周面に環状凸縁が設けられ、該環状凸縁に複数の係合凹部が形成される。
【００１９】
図２乃至図４に示すように、前記色彩ケース３０は、円盤状を呈し、回転チューブ２０の収容空間２１に設置され、パターンケース３１と、バックケース３２と、複数の色彩片３３と、２つの移動リブ３４と、バックシート３５と、プレート３６と、複数の色彩シート３７と、複数の色彩玉３Ｅとを備える。
【００２０】
前記パターンケース３１は、透光性を備え、一側に底面が設けられ、該底面外側が結合端１１２と接触するように、回転チューブ２０の収容空間２１に設置され、他側に開口が形成され、該底面内側に複数の固定リブ３１１が設けられ、前記色彩片３３及び移動リブ３４は、移動自在にパターンケース３１の内部に収容され、且つ、該移動リブ３４は、湾曲状を呈することが好ましい。本考案における固定リブ３１１及び移動リブ３４は、いずれもリブユニットと呼ばれる。また、前記パターンケース３１の内部に、液体や鮮やかな玉などの色彩及びパターンに富む飾り物を収納しても構わない。
【００２１】
前記バックケース３２は、結合端１１２と反対する側に位置し、パターンケース３１と接触して開口をカバーするように設置され、ベース３２０及びカバー３２１を組み合わせて内部に収納空間を形成する。本実施例におけるバックケース３２とパターンケース３１との結合構造は、螺合手段や当接手段などとしても構わず、それらを固定すればよい。
【００２２】
前記バックシート３５は、回動可能にバックケース３２の内部におけるカバー３２１側に配置され、前記プレート３６は、透光性を備え、バックケース３２の内部におけるベースとバックシート３５との間に配置され、バックケース３２の収納空間を第一隙間３６１及び第二隙間３６２に区画され、前記色彩シート３７はそれぞれ、第一隙間３６１及び第二隙間３６２に収納され、該色彩シート３７は、様々な形状や、色彩、パターン、透明状、半透明状、グラデーション、立体感のある模様、多色付きの模様などのデザインにすることが好ましい。
【００２３】
図２示すように、前記ライトカバー４０は、回転チューブ２０の透光開口をカバーして取り付けられ、内側面に複数の係合リブ４１が延設され、それら係合リブ４１がそれぞれ、該回転チューブ２０の環状凸縁の係合凹部に係合され、それにより、ライトカバー４０を回転チューブ２０に装着することができる。
【００２４】
図４及び図５に示すように、本考案に係る万華鏡を使用する時、使用者が回転チューブ２０を回して色彩ケース３０のパターンケース３１及びバックケース３２を回動させると、パターンケース３１の回動により、内部の色彩片３３、移動リブ３４、色彩玉３Ｅを自由に移動し、様々なパターンを配列して豊かな変化を有し、また、バックケース３２の回動により、それら色彩シート３７をそれぞれ第一隙間３６１又は第二隙間３６２に自由に移動したり、回転したりし、バックの変化をして幻想的な色彩模様を表現できる。それにより、上記パターンケース３１及びバックケース３２の変化効果を重ねると、本考案に係る万華鏡は、パターンを非常に変化に富んで、バックに幻想的な色彩模様を表現して、楽しむことができ、消費者を惹かれてよく売れるものである。
【００２５】
図６に示すように、本考案に係る万華鏡における第二実施例は、殆ど第一実施例と同一であるが、パターンケース３１Ａ及びバックケース３２Ａがそれぞれ二重構造に設計される点において異なる。本実施例におけるパターンケース３１Ａの内部はさらに、透光性を備える割れシート３８Ａが取り付けられ、該割れシート３８Ａを介してパターンケース３１Ａの内部空間を第一層３１１Ａ及び第二層３１２Ａに区画され、該第一層３１１Ａ及び第二層３１２Ａにそれぞれ複数の色彩片３３Ａ、複数の色彩玉３Ｅ、リブユニット（固定リブまたは移動リブ３４Ａ）を有する。
【００２６】
また、本実施例におけるバックケース３２Ａの内部はさらに、透光性を備える割れシート３８Ａが取り付けられ、該割れシート３８Ａを介してバックケース３２Ａの収納空間を第一層３２２Ａ及び第二層３２３Ａに区画され、該第一層３２２Ａ及び第二層３２３Ａにそれぞれ透光性を備えるプレート３６Ａが配置され、該各プレート３６Ａの両側にそれぞれ複数の色彩シート３７Ａを有する。
【００２７】
上述したように、本実施例におけるパターンケース３１Ａ及びバックケース３２Ａはそれぞれ二層式（全部で四層である）に設計されることから、第一層３１１Ａ及び第二層３１２Ａの内部に移動リブ３４Ａを自由に移動すると共に、プレート３６Ａ及び色彩シート３７Ａを自由に回動することにより、パターン及びバックの変化を倍になり、立体感も備え、豊富な色彩模様を表現することができる。
【００２８】
図７に示すように、本考案に係る万華鏡における第三実施例は、殆ど第一実施例と同一であるが、パターンケース３１Ｂの開口側にチャップ３１０Ｂが取り付けられると共に、パターンケース３１Ｂのチャップ３１０Ｂがバックケース３２Ｂのベース３２０Ｂに接触されるように、パターンケース３１Ｂとバックケース３２Ｂを分離可能に組み合わせる点において異なる。本実施例におけるパターンケース３１Ｂ及びバックケース３２Ｂは、分離可能に組み合わせることから、使用者の好みによって、様々なパターンケース３１Ｂ又はバックケース３２Ｂを自由に変更しても構わず、万華鏡を見るだけではなく、使用上、趣味性を増えて楽しさも上向させる。
【００２９】
図８に示すように、本考案に係る万華鏡における第四実施例は、殆ど第一実施例と同一であるが、ライトカバー４０Ｃに電源ユニット１５Ｃが取り付けられると共に、ライトカバー４０Ｃの内側面に該電源ユニット１５Ｃと電気接続する発光ダイオード１４１Ｃが取り付けられる点において異なる。それによれば、ライトカバー４０側も照明を有し、さらに綺麗な発光効果を提供する。
【産業上の利用可能性】
【００３０】
本考案は上記の構成を有するので、使用者が回転チューブを回してパターンケース及びバックケースを回動させると、内部の色彩片や、移動リブ、色彩玉、複数の色彩シート３７などを自由に移動することによって、様々なパターンを配列して豊かに変化すると共に、幻想的な色彩模様を有する。さらに、パターンケース及びバックケースを二層の設計にしてもよいことから、立体感を増加して綺麗な色彩模様を表現する。
【符号の説明】
【００３１】
１０  円筒体
１１  本体
１１１  覗き端
１１２  結合端
１１３  覗き孔
１２  管状カバー
１３  反射鏡部材
１４  発光ユニット
１４１、１４１Ｃ  発光ダイオード
１５、１５Ｃ  電源ユニット
１５１  バッテリ
２０  回転チューブ
２１  収容空間
２１１  透光開口
３０  色彩ケース
３１、３１Ａ、３１Ｂ  パターンケース
３１０Ｂ  チャップ
３１１  固定リブ
３１１Ａ  第一層
３１２Ａ  第二層
３２、３２Ａ、３２Ｂ  バックケース
３２０、３２０Ｂ  ベース
３２１  カバー
３３、３３Ａ  色彩片
３４、３４Ａ  移動リブ
３５  バックシート
３６、３６Ａ  プレート
３６１  第一隙間
３６２  第二隙間
３７、３７Ａ  色彩シート
３Ｅ  色彩玉
３８Ａ  割れシート
４０、４０Ｃ  ライトカバー
４１  係合リブ
３２２Ａ  第一層
３２３Ａ  第二層
【図１】
0003176430.tif 000003
【図２】
0003176430.tif 000004
【図３】
0003176430.tif 000005
【図４】
0003176430.tif 000006
【図５】
0003176430.tif 000007
【図６】
0003176430.tif 000008
【図７】
0003176430.tif 000009
【図８】
0003176430.tif 000010